(57)【要約】【課題】ランドセルの蓋部材と収容部との縫製部分を確実に補強し、縫製部分をすっきりとした外観にすることができるランドセルを提供する。【解決手段】物品を収容する収容部１２を有し、収容部１２は使用者の背中に当接する背板１４と、一対のマチ部１６と、背板１４に対向する中仕切部１８とを有する。背板１４には収容部１２を開閉する蓋部材２０と、蓋部材２０の側縁部に取り付けられ背板１４とマチ部１６との縫製部分を包む補強片２６を備える。補強片２６は、所定の形状にカットされたシートで作られ、補強片２６には、矩形の本体２８と、本体２８の上端部に一体に形成された突起３０を備える。突起３０は、本体２８の上端部に対して直角に外側へ突出する基端部３０ａと、基端部３０ａの先端から連続し基端部３０ａよりも幅広の係止部３０ｂから成る。補強片２８は、突起３０の基端部３０ａ側を、背板１４の両側縁部表裏面に縫い合わされる。【選択図】図１
2011045531.tif 000002
【特許請求の範囲】
【請求項１】
物品を収容する収容部が設けられ、前記収容部は使用者の背中に当接する背板と、一対のマチ部と、前記背板に対向する中仕切部と、底部とにより形成され、前記背板には前記収容部を開閉する蓋部材と、前記蓋部材の側縁部に取り付けられ前記背板と前記マチ部との縫製部分を包む補強片が取り付けられ、前記補強片は、所定の形状にカットされたシートで作られ、前記補強片には、矩形の本体と、前記本体の上端部に一体に形成された突起が設けられ、前記突起は、前記本体の上端部に対して直角に外側へ突出する基端部と、前記基端部の先端から連続し前記基端部よりも幅広の係止部から成り、前記補強片は、前記突起の前記基端部側を、前記背板の両側縁部表裏面に縫い合わされて取り付けられていることを特徴とするランドセル。
【請求項２】
前記補強片は、前記ランドセルの前記蓋部材、前記背板、及び前記マチ部の縫製部分を、前記本体を二つ折して包み、前記本体の上端部を前記背板の上端部に一致させて、前記突起を前記背板の上端部に沿って折り曲げ、前記突起の先端両側に突出した前記係止部を前記背板の表裏面に折り曲げ、前記係止部の一方を前記蓋部材と前記背板の間に、他方を前記収納部側の前記背板面に折り曲げて、前記背板を前記係止部で挟持した状態で縫い合わされて取り付けられている請求項１記載のランドセル。
【発明の詳細な説明】
【技術分野】
【０００１】
この発明は、教科書等を入れる収容部が設けられた通学用のランドセルに関する。
【背景技術】
【０００２】
従来、図５に示すように、ランドセル１において教科書等の物品を収容する収容部２は、使用する児童の背中に当接する背板３と、一対のマチ部４と、背板３に対向する中仕切部と、底部とで囲まれて形成され、上方に開口されている。背板３の上端部には、収容部２の開口を覆う蓋部材５が取り付けられている。背板３の上端部に交差する側縁部は、表面に蓋部材５の側縁部が重ねられ、裏面にはマチ部４の側縁部が重ねられて、縫い代を糸６で縫い合わされて取り付けられている。
【０００３】
ここで、背板３の上端部とマチ部４の上端部はほぼ一致し、蓋部材５の下端部は、その下方に位置して縫い付けられている。蓋部材５は、収容部２の背板３の上端部で屈曲して収容部２の開口を閉鎖し、上方に伸ばして開く。この蓋部材５は、収容部２を開閉するときに繰り返し屈曲され、背板３の側縁部との縫製部分に力がかかり、縫製の糸６が破断したり縫い穴が大きくなったり、さらには屈曲する部分が破損することがある。
【０００４】
これを防ぐために、蓋部材５の端部側縁には、収容部２との縫製部分を包む補強片７が取り付けられている。このような補強片７には、いろいろな形状があり、例えば図４に示すような形状にカットしたシート状のものがある。シートは、天然皮革や合成皮革で、ランドセル１の本体と同じ生地でもよい。この補強片７は、矩形の本体８が設けられ、本体８の上端部８ａの中心には、上端部８ａに対してほぼ直角に外側へ突出する帯状の突起９一体に形成されている。
【０００５】
補強片７の取付方法は、先ず、ランドセル１の蓋部材５と、背板３、マチ部４が縫い合わされた縫製部分の縫い代である側縁部の表裏面に、補強片７の本体８を二つ折りして包み、上端部８ａを背板３、マチ部４の上端部に一致させた状態で縫い代と一体に縫い合わせる。そして突起９を、縫製している糸６をくぐらせて背板３の上端部に沿って折り曲げる。突起９は、折り曲げられた状態で糸により押さえられ、折れた状態を維持する。これにより補強片７は、蓋部材５と、背板３、マチ部４が縫い合わされた縫製部分の段差に沿う形状となり、すっきりとした外観となり、また縫製部分を補強して損傷を防ぐことができる。
【０００６】
その他の補強片として、特許文献１に開示されているランドセルにおける蓋体補強構造は、シート状の補強片が一体的に縫着されているものである。この補強片は、マチ部に位置する一側縁部が直線状に形成され、背板に位置する他端部が外側に膨出する湾曲線状に形成されている。この補強片は二つ折りされ、蓋部材の収容部との縫製部分を包み、縫い付けられている。特許文献２、特許文献３にも同様の補強片が開示されている。
【先行技術文献】
【特許文献】
【０００７】
【特許文献１】実開平３−８１８号公報
【特許文献２】実開平２−５２６１４号公報
【特許文献３】実開平２−１５２８７号公報
【発明の概要】
【発明が解決しようとする課題】
【０００８】
上記背景技術の、図４、図５に示す補強片７、突起９が一定幅の帯状であるため、図５に示すように、突起９が縫製の糸６から抜けやすいものであり、長期間使用すると、突起９の折れ目が開いて緩くなったり、背板３の上端部から外れたりすることがあり、外観が良くなく補強も弱くなることがあった。さらに、補強片７を取付ける工程は、補強片７の本体８を縫い付けた後に突起９を折り曲げるものであり、面倒であった。
【０００９】
また、特許文献１〜３に開示されているランドセルは、補強片が蓋部材と、背板、マチ部が縫い合わされた縫製部分の段差に沿う形状にならないため、隙間が生じて外観があまり良くなかった。隙間にホコリが入って汚れることもあった。
【００１０】
この発明のランドセルは、上記背景技術の問題点に鑑みてなされたものであり、ランドセルの蓋部材と収容部との縫製部分を確実に補強し、縫製部分をすっきりとした外観にすることができるランドセルを提供することを目的とする。
【課題を解決するための手段】
【００１１】
この発明は、物品を収容する収容部が設けられ、前記収容部は使用者の背中に当接する背板と、一対のマチ部と、前記背板に対向する中仕切部と、底部とにより形成され、前記背板には前記収容部を開閉する蓋部材と、前記蓋部材の側縁部に取り付けられ前記背板と前記マチ部との縫製部分を包む補強片が取り付けられ、前記補強片は、所定の形状にカットされたシートで作られ、前記補強片には、矩形の本体と、前記本体の上端部に一体に形成された突起が設けられ、前記突起は、前記本体の上端部に対して直角に外側へ突出する基端部と、前記基端部の先端から連続し前記基端部よりも幅広の係止部から成り、前記補強片は、前記突起の前記基端部側を、前記背板の両側縁部表裏面に縫い合わされて取り付けられているランドセルである。
【００１２】
さらに、前記補強片は、前記ランドセルの前記蓋部材、前記背板、及び前記マチ部の縫製部分を、前記本体を二つ折して包み、前記本体の上端部を前記背板の上端部に一致させて、前記突起を前記背板の上端部に沿って折り曲げ、前記突起の先端両側に突出した前記係止部を前記背板の表裏面に折り曲げ、前記係止部の一方を前記蓋部材と前記背板の間に、他方を前記収納部側の前記背板面に折り曲げて、前記背板を前記係止部で挟持した状態で縫い合わされて取り付けられているものである。
【発明の効果】
【００１３】
本発明のランドセルは、ランドセルの蓋部材の側縁部に、収容部との縫製部分を包んで補強片が取り付けられ、縫製部分を確実に補強することができる。さらに、補強片は縫製部分の段差に沿った形状に折り曲げられ、隙間なく取り付けられて、すっきりとした外観となるとともに、補強片が縫製した糸に係止され、耐久性がありきれいな形状を維持することができる。
【図面の簡単な説明】
【００１４】
【図１】この発明の一実施形態のランドセルの斜視図である。
【図２】この実施形態のランドセルの部分破断斜視図である。
【図３】この実施形態のランドセルの補強片の展開図である。
【図４】従来のランドセルの補強片の展開図である。
【図５】従来のランドセルの部分拡大斜視図である。
【発明を実施するための形態】
【００１５】
以下、この発明の実施形態について図面に基づいて説明する。図１〜図３はこの発明の一実施形態を示すもので、この実施形態のランドセル１０は、教科書等の物品を収容する収容部１２が設けられ、収容部１２は使用する児童等の背中に当接する背板１４と、一対のマチ部１６と、背板１４に対向する中仕切部１８と、図示しない底部により形成されている。さらに、中仕切部１８の外側には、所定の空間を空けて側面部１９が形成され、収容部１２と側面部１９の内側空間は、上方が開口している。
【００１６】
背板１４の上端部１４ａには、収容部１２の開口を覆う蓋部材２０が取り付けられている。蓋部材２０の下端部２０ａは、背板１４の上端部１４ａの表面に重ねられ、縫い合わされて取り付けられている。蓋部材２０の、下端部２０ａに交差する側縁部２０ｂと、背板１４の側縁部１４ｂは、ほぼ直線に一致している。背板１４の側縁部１４ｂ裏面には、マチ部１６が縫い付けられている。マチ部１６の上端部１６ａは、背板１４の上端部１４ａと一致し、マチ部１６の側縁部１６ｂは、背板１４の側縁部１４ｂに一致している。蓋部材２０の側縁部２０ｂ、背板１４の側縁部１４ｂ、及びマチ部１６の側縁部１６ｂが重ねられた縫い代は、収容部１２の外側へ背板１４と面一に突出し、保護テープ２２で包まれ、保護テープ２２の外側から糸２４で縫い合わされている。保護テープ２２の上端部２２ａは背板１４の上端部１４ａと一致している。そして、糸２４により下方から縫い合わされて、背板１４の上端部１４ａで折り返して下方へ向かってわずかに返し縫いされている。
【００１７】
蓋部材２０の側縁部２０ｂには、背板１４の側縁部１４ｂ、マチ部１６の側縁部１６ｂとの縫製部に、保護テープ２２の外から、補強片２６が重ねられ糸２４で一緒に縫い付けられている。補強片２６は、図３に示すように丈夫な皮革等のシート体を所定の形状にカットしたものである。補強片２６の形状は、矩形の本体２８を有し、本体２８の一方の端部である上端部２８ａに、突起３０が設けられている。突起３０は、本体２８の上端部２８ａに対して直角に外側へ突出する基端部３０ａと、基端部３０ａの先端に連続し基端部３０ａよりも幅広の係止部３０ｂが形成されている。突起３０の、本体２８に対してほぼ平行な一対の端部は、中心が外側に膨らんで形成されている。
【００１８】
補強片２６は、本体２８が二つ折りにされて保護テープ２２の外から縫い代を包み、縫い代の厚みに沿ってコの字形に折り曲げられている。本体２８の上端部２８ａは、背板１４の上端部１４ａに一致している。突起３０は、背板１４の上端部１４ａに沿って折り曲げられ、係止部３０ｂの基端部３０ａから両側へ突出した部分が、背板１４の表面と裏面に折り曲げられている。係止部３０ｂは、背板１４と、蓋部材２０またはマチ部１６に挟まれた状態で係止されている。また、係止部３０ｂが、糸２４で縫い付けられて係止されてもよく、基端部３０ａの近傍に糸２４が通過し、この糸２４に係止部３０ｂの基端部３０ａに連続する端部が係止されてもよい。
【００１９】
次に、ランドセル１０の補強片２６を取り付ける工程の一例について説明する。背板１４、蓋部材２０、マチ部１６を縫製した後、保護テープ２２を取り付けた蓋部材２０の側縁部２０ｂに、背板１４、マチ部１６との縫製部分をつつむようにして補強片２６の本体２８を当てる。そして、突起３０を背板１４の上端部１４ａに沿って折り曲げ、さらに突起３０の基端部３０ａから両側に突出した係止部３０ｂの一方を、背板１４と蓋部材２０との間に差し込み、他方をマチ部１６の側縁部１６ｂと本体２８の裏面との間に差し込む。この状態で補強片２６を本体２８の外から糸２４で縫い合わせる。なお、補強片２６を取り付ける工程は、上記以外でもよい。
【００２０】
この実施形態のランドセル１０によれば、蓋部材２０の側縁部２０ｂに、収容部１２との縫製部分を包んで補強片２６が取り付けられ、縫製部分を確実に補強することができる。しかも、補強片２６は縫製した糸２４に係止され、折り目が開いたり抜けたりすることがなく、きれいな形状を維持することができ、長期間きれいな状態で使用することができる。さらに、糸２４が破断したり縫い穴が大きくなったりせず、また屈曲する部分が破損することもなく、安全である。さらに、背板１４の上端部１４ａに対向する部分で、収容部１２を開閉するたびに屈曲を繰り返しても破損を防ぐことができる。補強片２６は、縫製部分の段差に沿った形状に折り曲げられ、隙間なく取り付けられて、すっきりとした外観となり、見栄えがよい。その他、蓋部材２０や背板１４との間に隙間ができずゴミやほこりが入って汚れることがなく、清潔である。隙間に何かが引っ掛かって破損することがなく、安全である。また、補強片２６を取り付ける工程は、糸２４で縫い付ける前に突起３０を背板１４の上端部１４ａに沿って折り曲げているため、後で差し込む必要がなく、簡単である。
【００２１】
なお、この発明は上記実施形態に限定されるものではなく、ランドセルの構造は自由に変更可能である。補強片の素材はランドセル本体と同じ皮革でもよく、異なるものでもよい。補強片を縫い付ける工程は、適宜変更可能である。
【符号の説明】
【００２２】
１０  ランドセル
１２  収容部
１４  背板
１６  マチ部
１８  中仕切部
２０  蓋部材
２２  保護テープ
２４  糸
２６  補強片
２８  本体
３０  突起
３０ａ  基端部
３０ｂ  係止部
【図１】
2011045531.tif 000003
【図２】
2011045531.tif 000004
【図３】
2011045531.tif 000005
【図４】
2011045531.tif 000006
【図５】
2011045531.tif 000007